(57)【要約】【課題】  所在の不明な資産がある場合であっても、資産を効率よく管理することが可能な資産管理装置等を提供する。【解決手段】  資産管理装置１は、第１の識別情報１０１と第１の位置情報１０２とを第１の時間周期毎に発信し、発信指示情報１０３を受信した場合には、第１の識別情報１０１と第１の位置情報１０２とを第２の時間周期毎に発信する発信部２と、通知指示情報１０４を受信するのに応じて、人が判別可能な態様で通知する通知部３とを備える。【選択図】      図１
2014164569.tif 000002
【特許請求の範囲】
【請求項１】
自装置を識別可能な管理ＩＤを含む第１の識別情報と該自装置の位置情報を含む第１の位置情報とを第１の時間周期毎に発信し、前記第１の識別情報と前記第１の位置情報とを発信するように指示する発信指示情報を受信した場合には、前記第１の識別情報と前記第１の位置情報とを前記第１の時間周期と異なる第２の時間周期毎に発信する発信部と、
通知を指示する通知指示情報を受信するのに応じて、人が判別可能な態様で通知する通知部と、
を備えることを特徴とする資産管理装置。
【請求項２】
前記発信部は、
前記第１の識別情報を発信した際に、前記第１の位置情報と異なる第２の位置情報を受信すると共に、前記第１の時間周期毎に前記第１の識別情報と該第２の位置情報とを発信することを特徴とする請求項１に記載の資産管理装置。
【請求項３】
施錠機構の施錠を解除するように要求する解除リクエスト情報を受信すると共に、受信した前記解除リクエスト情報を統括サーバに送信し、前記解除リクエスト情報のリプライとして前記施錠機構の施錠を解除するように指示する解除指示情報を受信した場合には、前記施錠機構の施錠を解除する施錠制御部を、さらに、含むことを特徴とする請求項１または請求項２に記載の資産管理装置。
【請求項４】
所定の時間周期毎に二次電池から電池残量を取得すると共に、取得した前記電池残量と閾値とを比較し、前記電池残量と前記閾値とを比較した結果、前記電池残量が前記閾値以下の場合に、前記管理ＩＤと前記電池残量が前記閾値以下であることを通知する電源管理部を、さらに、含むことを特徴とする請求項１乃至請求項３の何れかに記載の資産管理装置。
【請求項５】
資産の情報を管理可能な前記統括サーバ、請求項１乃至請求項４の何れかに記載の資産管理装置、前記統括サーバと前記資産管理装置と通信可能な中継器、及び携帯端末装置、を含む資産管理システムであって、
前記中継器は、
自装置を識別可能な管理ＩＤを含む第１の識別情報を受信した際に、該中継器の位置情報を含む前記第２の位置情報を前記資産管理装置に送信し、前記第１の識別情報と前記第２の位置情報とを前記統括サーバに送信し、
前記携帯端末装置は、
操作されるのに応じて、前記管理ＩＤを含むリクエスト情報、または前記管理ＩＤと前記資産の確認が終了したことを示す情報とを含む終了通知情報を前記統括サーバに送信し、前記統括サーバから前記管理ＩＤと関連付けられた資産情報を受信した場合には、その資産情報を提示し、
前記統括サーバは、
前記第１の識別情報と前記第２の位置情報とを受信すると共に、受信した前記第１の識別情報と前記第２の位置情報とを資産管理情報に格納し、
前記リクエスト情報を受信した場合に、前記リクエスト情報の種別を判別した結果に応じて、前記資産管理装置には、前記第１の識別情報と前記第２の位置情報とを発信するように指示する発信指示情報と、通知を指示する通知指示情報と、施錠機構の施錠を解除するように指示する解除指示情報とを送信し、前記携帯端末装置には、前記管資産情報を送信し、
前記終了通知情報を受信した場合に、前記終了通知情報に基づいて、前記資産管理情報に前記資産の確認履歴を格納する管理情報制御部と、
を備える資産管理システム。
【請求項６】
前記携帯端末装置は、
前記発信部に前記第１の識別情報と前記第２の位置情報とを第２の時間周期毎に発信するように要求する場合には、前記管理ＩＤを含む発信リクエスト情報を送信し、
前記通知部に通知するように要求する場合には、前記管理ＩＤを含む通知リクエスト情報を送信し、
前記資産情報を前記統括サーバに提示するように要求する場合には、前記管理ＩＤを含む提示リクエスト情報を送信し、
前記施錠制御部に前記施錠機構の施錠を解除するように要求する場合には、前記管理ＩＤを含む提示リクエスト情報を送信することを特徴とする請求項５に記載の資産管理システム。
【請求項７】
前記管理情報制御部は、
前記発信リクエスト情報を受信した場合には、前記管理ＩＤに関連付けられた前記資産管理装置に前記発信指示情報を送信し、
前記通知リクエスト情報を受信した場合には、記管理ＩＤに関連付けられた前記資産管理装置に前記通知指示情報を送信し、
前記提示リクエスト情報を受信した場合には、前記資産管理情報から前記管理ＩＤに関連付けられた前記資産情報を求めると共に、その求めた資産情報を前記携帯端末装置に送信することを特徴とする請求項５または請求項６に記載の資産管理システム。
【請求項８】
前記統括サーバは、
さらに、前記第１の識別情報と前記第２の位置情報とを受信した際に、前記資産管理情報から前記第１の識別情報に含まれる前記管理ＩＤに関連付けられた承認情報を求めると共に、求めた前記承認情報が不許可を示す場合に、前記資産管理装置に前記通知指示情報を送信することを特徴とする請求項５乃至請求項７の何れかに記載の資産管理システム。
【請求項９】
資産管理装置が、
自装置を識別可能な管理ＩＤを含む第１の識別情報と該自装置の位置情報を含む第１の位置情報とを第１の時間周期毎に発信し、前記第１の識別情報と前記第１の位置情報とを発信するように指示する発信指示情報を受信した場合には、前記第１の識別情報と前記第１の位置情報とを前記第１の時間周期と異なる第２の時間周期毎に発信し、
通知を指示する通知指示情報を受信するのに応じて、人が判別可能な態様で通知することを特徴とする資産管理方法。
【請求項１０】
中継器が、
自装置を識別可能な管理ＩＤを含む第１の識別情報を受信した際に、該中継器の位置情報を含む前記第２の位置情報を前記資産管理装置に送信し、前記第１の識別情報と前記第２の位置情報とを前記統括サーバに送信し、
携帯端末装置が、
操作されるのに応じて、前記管理ＩＤを含むリクエスト情報、または前記管理ＩＤと前記資産の確認が終了したことを示す情報とを含む終了通知情報を前記統括サーバに送信し、前記統括サーバから前記管理ＩＤと関連付けられた資産情報を受信した場合には、その資産情報を提示し、
統括サーバが、
前記第１の識別情報と前記第２の位置情報とを受信すると共に、受信した前記第１の識別情報と前記第２の位置情報とを資産管理情報に格納し、
前記リクエスト情報を受信した場合に、前記リクエスト情報の種別を判別した結果に応じて、前記資産管理装置には、前記第１の識別情報と前記第２の位置情報とを発信するように指示する発信指示情報と、通知を指示する通知指示情報と、施錠機構の施錠を解除するように指示する解除指示情報とを送信し、前記携帯端末装置には、前記管資産情報を送信し、
前記終了通知情報を受信した場合に、前記終了通知情報に基づいて、前記資産管理情報に前記資産の確認履歴を格納することを特徴とする請求項９に記載の資産管理方法。
【発明の詳細な説明】
【技術分野】
【０００１】
本発明は、例えば、電子機器や什器等の資産を管理する技術分野に関する。
【背景技術】
【０００２】
企業は、建物や什器、パーソナルコンピュータ（以降、「パソコン」と略記する）、サーバ装置等の多くの資産を所有する。そのため、企業では、定期的に資産を管理する管理情報と、その資産の現品とを照合する（例えば、資産の棚卸）必要がある。
【０００３】
一般的に知られた棚卸方法としては、資産を管理する管理情報（例えば、管理台帳）に基づいて、棚卸管理者が資産の所在と資産の現品とを確認する方法が存在する。
【０００４】
より具体的に、棚卸管理者は、資産の現品を確認する際に、例えば、管理台帳に記録された情報と、資産に貼り付けられた資産管理ラベルに記載された情報とを照合する。
【０００５】
ここで、管理台帳に記録された情報とは、例えば、什器等の資産毎に付与された管理識別子（Ｉｄｅｎｔｉｆｉｃａｔｉｏｎ：以降、「ＩＤ」と称する）と、当該資産の名称、資産の製造号機番号及び資産の設置位置等の情報を含む。
【０００６】
また、資産管理ラベルに記載された情報とは、例えば、管理ＩＤと、対応する資産の名称及び資産の製造号機番号との情報を含む。
【０００７】
例えば、多くの資産を有する企業では、資産の現品確認や資産の管理に要する膨大な棚卸工数が発生する。
【０００８】
また、フロアレイアウトの変更や資産管理者が異動する場合に、パソコン等の持ち運び可能な資産は、例えば、棚卸管理者に資産の移動を通知すること無く設置場所が変更される虞がある。そのため、企業では、資産の現品確認や資産の管理等を効率よく行いたいという要望がある。
【０００９】
このような背景から、資産を効率よく管理する技術は、多岐にわたり存在する。例えば、特許文献１は、携帯用電子機器の盗難防止装置に関する技術を開示する。
【００１０】
特許文献１に開示された盗難防止装置は、ノート型パソコンや携帯用ワードプロセッサ等の携帯用電子機器の盗難を防止する。
【００１１】
特許文献２は、無線通信システム及び電子機器検索方法に関する技術を開示する。特許文献２に開示された無線通信システムは、通信可能な圏内に２つの電子機器が存在する場合に、一方の電子機器が音声、または光を発生する。これにより、例えば、棚卸管理者は、電子機器を視覚、または聴覚において認識することができる。
【００１２】
特許文献３は、タグ管理システムに関する技術を開示する。特許文献３に開示されたタグ管理システムは、２つのＩＣ（Ｉｎｔｅｇｒａｔｅｄ＿Ｃｉｒｃｕｉｔ：以降、「ＩＣ」と称する）タグ間の局所通信を用いることによって、ＩＣタグの位置を検出することができる。
【先行技術文献】
【特許文献】
【００１３】
【特許文献１】特開２０００−１７２９６０号公報
【特許文献２】特開２００２−１０１１０４号公報
【特許文献３】特開２０１０−１６０６７４号公報
【発明の概要】
【発明が解決しようとする課題】
【００１４】
しかしながら、一般的に知られた棚卸方法では、例えば、棚卸管理者に断り無く資産が移動された場合に、棚卸管理者は、その資産の所在情報を得る術が無いために、移動された資産を確認することができない。即ち、棚卸管理者としては、係る資産を探す手間が発生する。
【００１５】
また、例えば、多くの資産を管理する場合に、棚卸管理者は、資産の名称と、資産の形状や資産の外観とが一致しない場合もある。
【００１６】
特許文献１に開示された盗難防止装置は、携帯用電子機器を第三者から盗難されることを防止することが記載されているに留まり、例えば、携帯用電子機器の所在が不明な場合に、その携帯用電子機器の所在を把握する手法については、考慮されておらず何ら述べられていない。
【００１７】
また、例えば、携帯用電子機器の利用者が設置場所を移動する場合に、棚卸管理者は、携帯用電子機器が盗難にあったのか、または利用者によって携帯用電子機器が移動されたのかを判別することができない。
【００１８】
特許文献２に開示された無線通信システムは、短距離無線通信が可能な範囲に２つの電子機器が存在する場合に、一方の電子機器が音声、または光を発生する。即ち、係る無線通信システムでは、２つの電子機器が狭い範囲、且つその範囲内に存在する必要がある。
【００１９】
そのため、係る無線通信システムでは、２つの電子機器が広範囲、且つ電子機器の所在が不明な場合に、依然として電子機器の設置場所を容易に把握することができない。
【００２０】
特許文献３に開示されたタグ管理システムは、例えば、２つのＩＣタグのうち一方のＩＣタグの所在が不明な場合に、ＩＣタグ間の通信ができない。即ち、特許文献３では、通信する何れか一方のＩＣタグの所在が判明している必要がある。
【００２１】
本発明の主たる目的は、所在の不明な資産がある場合であっても、資産を効率よく管理することが可能な資産管理装置等を提供することにある。
【課題を解決するための手段】
【００２２】
上記の課題を達成すべく、本発明に係る資産管理装置は、以下の構成を備えることを特徴とする。
【００２３】
即ち、本発明に係る資産管理装置は、
自装置を識別可能な管理ＩＤを含む第１の識別情報と該自装置の位置情報を含む第１の位置情報とを第１の時間周期毎に発信し、前記第１の識別情報と前記第１の位置情報とを発信するように指示する発信指示情報を受信した場合には、前記第１の識別情報と前記第１の位置情報とを前記第１の時間周期と異なる第２の時間周期毎に発信する発信部と、
通知を指示する通知指示情報を受信するのに応じて、人が判別可能な態様で通知する通知部とを備えることを特徴とする。
【００２４】
或いは、上記に示す資産管理装置を含む資産管理システムによっても、同目的を達成される。
【００２５】
また、同目的を達成すべく、本発明に係る資産管理方法は、以下の構成を備えることを特徴とする。
【００２６】
即ち、本発明に係る資産管理方法は、
資産管理装置が、
自装置を識別可能な管理ＩＤを含む第１の識別情報と該自装置の位置情報を含む第１の位置情報とを第１の時間周期毎に発信し、前記第１の識別情報と前記第１の位置情報とを発信するように指示する発信指示情報を受信した場合には、前記第１の識別情報と前記第１の位置情報とを前記第１の時間周期と異なる第２の時間周期毎に発信し、
通知を指示する通知指示情報を受信するのに応じて、人が判別可能な態様で通知することを特徴とする。
【発明の効果】
【００２７】
本発明によれば、所在の不明な資産がある場合であっても、資産を効率よく管理することが可能な資産管理装置を提供することができる。
【図面の簡単な説明】
【００２８】
【図１】本発明の第１の実施形態における資産管理装置の構成を示すブロック図である。
【図２】本発明の第２の実施形態における資産管理装置を含む資産管理システムの構成を示すブロック図である。
【図３】本発明の第２の実施形態における資産管理装置が行う動作を示すフローチャートである。
【図４Ａ】本発明の第２の実施形態における統括サーバが行う動作を示すフローチャートである。
【図４Ｂ】本発明の第２の実施形態における統括サーバが行う動作を示すフローチャートである。
【図５】本発明の第２の実施形態における中継器が行う動作を示すフローチャートである。
【図６Ａ】本発明の第２の実施形態における携帯端末装置が行う動作を示すフローチャートである。
【図６Ｂ】本発明の第２の実施形態における携帯端末装置が行う動作を示すフローチャートである。
【図７】本発明の第３の実施形態における資産管理装置を含む資産管理システムの構成を示すブロック図である。
【図８】本発明の第３の実施形態における資産管理情報の構成（フォーマット）を具体的に例示した図である。
【図９】本発明の第４の実施形態における資産管理装置を含む資産管理システムの構成を示すブロック図である。
【図１０】発明の第５の実施形態における資産管理装置を含む資産管理システムの構成を示すブロック図である。
【発明を実施するための形態】
【００２９】
以下、本発明の実施形態について図面を参照して詳細に説明する。
【００３０】
＜第１の実施形態＞
尚、以下の説明において、説明の便宜上、一例として、資産管理装置１は、パソコン等の資産に備え付けられた構成を採用することとする。但し、本実施形態を例に説明する本発明は、これらに限定されない（以下、各実施形態においても同様）。
【００３１】
図１は、本発明の第１の実施形態における資産管理装置１の構成を示すブロック図である。
【００３２】
図１において、資産管理装置１は、発信部２と、通知部３とを有する。
【００３３】
発信部２は、不図示の通信部を介して記憶部４に格納された各種情報を発信する。より具体的に、発信部２は、記憶部４に格納された第１の識別情報１０１と第１の位置情報１０２とを発信する。
【００３４】
ここで、発信部２は、所定の時間周期毎（以下、説明の便宜上、「第１の時間周期」と称する）に第１の識別情報１０１と第１の位置情報１０２とを発信することとする。
【００３５】
次に、発信部２は、通信部（不図示）を介して後述する発信指示情報１０３を受信する。発信部２は、受信した発信指示情報１０３に応じて、所定の時間周期毎（以下、説明の便宜上、「第２の時間周期」と称する）に第１の識別情報１０１と第１の位置情報１０２とを発信する。
【００３６】
ここで、第２の時間周期は、上述した第１の時間周期よりも短い時間周期である。
【００３７】
また、第１の識別情報１０１は、資産管理装置１を識別可能な管理ＩＤの情報を含む。
【００３８】
第１の位置情報１０２は、資産管理装置１（自装置）の位置を示す位置情報である。第１の位置情報１０２は、例えば、棚卸管理者によって予め記憶部４に登録してもよいし、例えば、資産管理装置１が汎地球測位システム（Ｇｌｏｂａｌ＿Ｐｏｓｉｔｉｏｎｉｎｇ＿Ｓｙｓｔｅｍ：以降、「ＧＰＳ」と称する）を備えると共に、そのＧＰＳによって位置情報（第１の位置情報１０２）を取得するようにしてもよい。
【００３９】
発信指示情報１０３は、管理ＩＤと、その管理ＩＤに関連付けられた資産管理装置１の発信部２に対して第１の識別情報１０１及び第１の位置情報１０２を第２の時間周期毎に発信するように指示する情報と、を含む。
【００４０】
尚、上述した実施形態では、説明の便宜上、一例として、第１の識別情報１０１は、管理ＩＤを含む構成を例に説明した。しかしながら本発明に係る実施形態は、係る構成に限定されず、第１の識別情報１０１は、さらに、例えば、資産の名称（以降、単に「資産名」と略記する）や資産の製造号機番号、資産を使用する使用者等の情報を含む構成を採用してもよい。
【００４１】
さらに、通知部３は、通信部（不図示）を介して通知指示情報１０４を受信する。通知部３は、受信した通知指示情報１０４に基づいて、人が判別可能な態様で通知（報知）する。即ち、通知部３は、受信した通知指示情報１０４に基づいて、音、光、におい、振動等の如く、人が所謂五感で識別可能な態様のうち少なくとも何れか一種類の態様で通知する。
【００４２】
より具体的に、一例として、通知部３は、受信した通知指示情報１０４に基づいて、ランプ部（不図示）を点灯、または点滅する構成を採用してもよいし、拡声器（不図示、例えば、スピーカー）から所定のメッセージ（音声）や警報音等を放送する構成を採用してもよい。
【００４３】
尚、通知部３は、上述した手法の何れか、または１つ以上の手法を組み合わせてもよい。
【００４４】
ここで、通知指示情報１０４は、管理ＩＤと、その管理ＩＤに関連付けられた資産管理装置１の通知部３に光や音を発するように指示する情報とを含む。
【００４５】
次に、記憶部４は、第１の識別情報１０１と第１の位置情報１０２とを有する。記憶部４は、読み書き可能な不揮発性記憶デバイスである。
【００４６】
より具体的に、一例として、記憶部４は、携帯端末装置（例えば、図２に示す携帯端末装置１４）やサーバ（例えば、図２に示す統括サーバ１２）等の電子機器に搭載されたフラッシュメモリ（Ｆｌａｓｈ＿ｍｅｍｏｒｙ）やハードディスクドライブ（Ｈａｒｄ＿ｄｉｓｋ＿ｄｒｉｖｅ：以降、「ＨＤＤ」と称する）等の不揮発性記憶素子を採用することができる。
【００４７】
通信部（不図示）は、通信可能範囲内において、例えば、微弱電波で信号を送受信する無線通信機器である。係る通信部は、信号を受信するための不図示の受信アンテナと受信回路とを有する。また、係る通信部は、信号を送信するための不図示の送信アンテナと送信回路とを有する。
【００４８】
尚、通信部が無線通信する技術自体は、現在では一般的な技術を採用することができるので、本実施形態における詳細な説明は省略する（以下の実施形態においても同様）。
【００４９】
このように本実施の形態に係る資産管理装置１によれば、所在の不明な資産がある場合であっても、資産を効率よく管理することができる。その理由は、以下に述べる通りである。
【００５０】
即ち、資産管理装置１の発信部２は、受信した発信指示情報１０３に応じて、第１の識別情報１０１と第１の位置情報１０２とを第２の時間周期毎に発信する。そのため、資産管理装置１の所在が不明な場合であっても、例えば、棚卸管理者は、第１の識別情報１０１と第１の位置情報１０２とを受信可能な携帯端末装置（例えば、図２に示す携帯端末装置１４）によって、第１の識別情報１０１と第１の位置情報１０２とを受信する。さらに、棚卸管理者は、受信した第１の識別情報１０１に含まれる管理ＩＤと、第１の位置情報１０２に含まれる位置情報とに基づいて、資産管理装置１の所在位置を速やかに把握することができるからである。即ち、棚卸管理者は、資産管理装置１を備える資産を速やかに探すことができる。
【００５１】
また、資産管理装置１の通知部３は、受信した通知指示情報１０４に基づいて、音、または光を発する。そのため、棚卸管理者は、視覚的、または聴覚的に資産管理装置１を速やかに認識することができるからである。即ち、棚卸管理者は、資産管理装置１を備える資産を速やかに探すことができる。
【００５２】
さらに、棚卸管理者は、資産管理装置１の発信部２が受信した第１の識別情報１０１に含まれる資産名や資産の製造号機番号、使用者等の情報に基づいて、棚卸を実施することができるからである。即ち、棚卸管理者は、効率よく現品確認を行うことができるからである。
【００５３】
＜第２の実施形態＞
次に、上述した本発明の第１の実施形態に係る資産管理装置１を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【００５４】
本発明の第２の実施形態における資産管理装置１１について、図２を参照して説明する。
【００５５】
図２は、本発明の第２の実施形態における資産管理装置１１を含む資産管理システム１０の構成を示すブロック図である。
【００５６】
図２において、資産管理システム１０は、大別して、資産管理装置１１と、統括サーバ１２と、中継器１３と、携帯端末装置１４とを有する。
【００５７】
図２において、資産管理装置１１は、発信部１５の動作が第１の実施形態における発信部２の動作と異なる。
【００５８】
より具体的に、資産管理装置１１は、通信部（不図示）を介して中継器１３と、携帯端末装置１４と通信可能に接続する。発信部１５は、第１の識別情報１０１を第１の時間周期毎に発信する。
【００５９】
また、第１の識別情報１０１を発信した際に、発信部１５は、後述する中継器１３から第２の位置情報１０５を受信する。発信部１５は、受信した第２の位置情報１０５を記憶部４に格納する。
【００６０】
第２の位置情報１０５を受信した場合には、発信部１５は、第１の識別情報１０１と第２の位置情報１０５とを第１の時間周期毎に発信する。
【００６１】
発信部１５は、統括サーバ１２から中継器１３を介して発信指示情報１０３を受信する。
【００６２】
尚、発信部１５が発信指示情報１０３を受信した際の動作は、第１の実施形態において説明した発信部２が発信指示情報１０３を受信した際の動作と同様である。そのため、重複する説明は省略する。
【００６３】
次に、統括サーバ１２は、管理情報制御部１６を有する。管理情報制御部１６は、資産管理情報１７を有する。
【００６４】
管理情報制御部１６は、第１の識別情報１０１と第２の位置情報１０５とを受信すると共に、受信した第１の識別情報１０１と第２の位置情報１０５とを資産管理情報１７に格納する。
【００６５】
ここで、資産管理情報１７（メタデータ）とは、資産に関する各種情報を含む。より具体的に、資産管理情報１７は、資産名と、資産の製造号機番号と、資産の外観情報（例えば、資産の画像データ）と、資産の使用者情報と、資産に備えられた資産管理装置１１の管理ＩＤと、位置情報と、棚卸の実施履歴及び所在位置の履歴とが関連付けられた情報を含む。
【００６６】
管理情報制御部１６は、受信した各種リクエスト情報の種別を判別すると共に、種別を判別した結果に応じて、処理を実行する。
【００６７】
より具体的に、携帯端末装置１４から発信リクエスト情報１０７を受信した場合には、管理情報制御部１６は、発信リクエスト情報１０７に含まれる管理ＩＤに基づいて、その管理ＩＤに関連付けられた資産管理装置１１に、中継器１３を介して発信指示情報１０３を送信する。
【００６８】
携帯端末装置１４から通知リクエスト情報１０８を受信した場合には、管理情報制御部１６は、通知リクエスト情報１０８に含まれる管理ＩＤに基づいて、その管理ＩＤに関連付けられた資産管理装置１１に、中継器１３を介して通知指示情報１０４を送信する。
【００６９】
携帯端末装置１４から提示リクエスト情報１０６を受信した場合には、管理情報制御部１６は、提示リクエスト情報１０６に含まれる管理ＩＤに基づいて、資産管理情報１７を参照する。
【００７０】
さらに、管理情報制御部１６は、資産管理情報１７から係る管理ＩＤに関連付けられた資産情報を求めると共に、求めた資産情報を携帯端末装置１４に送信する。
【００７１】
また、資産情報とは、管理ＩＤ、その管理ＩＤに関連付けられた資産名、製造号機番号、外観情報、位置情報、資産の使用者、棚卸の実施履歴、及び所在位置の履歴を含む。
【００７２】
尚、上述した本実施形態では、説明の便宜上、一例として、管理情報制御部１６は、提示リクエスト情報１０６を受信した場合に、資産管理情報１７から管理ＩＤに関連付けられた資産情報を求める構成を例に説明した。しかしながら本発明に係る実施形態は、係る構成に限定されない。
【００７３】
管理情報制御部１６は、資産管理情報１７から管理ＩＤに関連付けられた資産情報と、係る管理ＩＤに関連付けられた位置情報から同一の位置情報を有する資産の資産情報とを求める構成を採用してもよいし、管理ＩＤに関連付けられた資産情報と、係る管理ＩＤに関連付けられた位置情報から、その位置情報周辺（例えば、略半径３メートル以内）の位置情報を有する資産の資産情報とを求める構成を採用してもよい。
【００７４】
これにより、例えば、棚卸管理者は、同一の位置に所在する資産を効率よく見つけ出すことができる。または、棚卸管理者は、棚卸対象の資産周辺（例えば、略半径３メートル以内）に所在する資産を効率よく見つけ出すことができる。即ち、棚卸管理者は、管理ＩＤと関連付けられた資産の周辺に所在する、係る管理ＩＤと関連付けられた資産と異なる資産を効率よく見つけ出すことができる。
【００７５】
携帯端末装置１４から終了通知情報を受信した場合には、管理情報制御部１６は、受信した終了通知情報に基づいて、終了通知情報に含まれる管理ＩＤと、棚卸の実施履歴及び所在位置の履歴とを資産管理情報１７に格納する。
【００７６】
ここで、終了通知情報は管理ＩＤと、位置情報と、資産の現品確認が終了したことを示す情報とを含む。
【００７７】
次に、中継器１３は、通信部（不図示）を介して資産管理装置１１と、統括サーバ１２と通信可能に接続する。
【００７８】
また、中継器１３は、資産管理装置１１から第１の識別情報１０１を受信する。
【００７９】
中継器１３は、資産管理装置１１から第１の識別情報１０１を受信した際に、第２の位置情報１０５を資産管理装置１１に送信する。さらに、中継器１３は、第１の識別情報１０１と第２の位置情報１０５とを統括サーバ１２に送信する。
【００８０】
ここで、中継器１３の通信可能範囲は、例えば、中継器１３を中心として略半径３メートルとする。但し、本実施形態を例に説明する本発明は、これらに限定されない（以下、各実施形態においても同様）。
【００８１】
即ち、中継器１３が資産管理装置１１から第１の識別情報１０１を受信する場合に、資産管理装置１１と中継器１３とは、例えば、略半径３メートル以内に位置することを意味する。
【００８２】
第２の位置情報１０５は、中継器１３の位置を示す位置情報である。第２の位置情報１０５は、例えば、棚卸管理者によって予め中継器１３に登録してもよし、例えば、中継器１３がＧＰＳを備えると共に、そのＧＰＳによって位置情報（第２の位置情報１０５）を取得するようにしてもよい。
【００８３】
尚、上述した本実施形態では、説明の便宜上、一例として、資産管理システム１０は、１つの中継器１３を有する構成を例に説明した。しかしながら本発明に係る実施形態は、係る構成に限定されず、資産管理システム１０は、１つ以上の中継器１３を有する構成を採用してもよい。
【００８４】
次に、携帯端末装置１４は、通信部（不図示）を介して資産管理装置１１と、統括サーバ１２と通信可能に接続する。
【００８５】
携帯端末装置１４は、統括サーバ１２に管理ＩＤを含む各種リクエスト情報を送信する。
【００８６】
より具体的に、統括サーバ１２に管理ＩＤに関連付けられた資産情報を提示するように要求する場合には、携帯端末装置１４は、統括サーバ１２に係る管理ＩＤを含む提示リクエスト情報１０６を送信する。
【００８７】
携帯端末装置１４は、提示リクエスト情報１０６のリプライとして統括サーバ１２から資産情報を受信する。
【００８８】
さらに、携帯端末装置１４は、受信した資産情報を不図示のディスプレイ等のユーザインタフェースに表示することができる。
【００８９】
これにより、例えば、棚卸管理者は、資産管理装置１１を備える資産名と、製造号機番号と、外観情報と、位置情報と、資産の使用者と、棚卸の実施履歴及び所在位置の履歴の情報とを確認することができる。
【００９０】
また、棚卸管理者は、確認した資産情報に基づいて、効率よく資産を見つけ出すことができると共に、棚卸を行うことができる。
【００９１】
次に、資産管理装置１１の発信部１５に第１の識別情報１０１と第２の位置情報１０５とを第２の時間周期毎に発信するように要求する場合には、携帯端末装置１４は、統括サーバ１２に、係る資産管理装置１１の管理ＩＤを含む発信リクエスト情報１０７を送信する。
【００９２】
また、資産管理装置１１の通知部３に音、または光を発するように要求する場合には、携帯端末装置１４は、統括サーバ１２に、係る資産管理装置１１の管理ＩＤを含む通知リクエスト情報１０８を送信する。
【００９３】
資産の現品を確認すると共に、その資産の棚卸を完了する場合には、携帯端末装置１４は、統括サーバ１２に終了通知情報を送信する。
【００９４】
より具体的に、一例として、資産の棚卸を完了する場合に、携帯端末装置１４は、資産管理装置１１から第１の識別情報１０１と第２の位置情報１０５とを受信する。
【００９５】
さらに、携帯端末装置１４は、第１の識別情報１０１と第２の位置情報１０５とに基づいて、終了通知情報を生成すると共に、生成した終了通知情報を統括サーバ１２に送信する。
【００９６】
次に、携帯端末装置１４は、管理ＩＤと位置情報とを不図示のディスプレイ等のユーザインタフェースに表示する。
【００９７】
より具体的に、携帯端末装置１４は、資産管理装置１１から第１の識別情報１０１と第２の位置情報１０５とを受信する。
【００９８】
ここで、資産管理装置１１は、発信指示情報１０３を受信するのに応じて、第１の識別情報１０１と第２の位置情報１０５とを第２の時間周期毎に発信することとする。
【００９９】
さらに、携帯端末装置１４は、受信した第１の識別情報１０１と第２の位置情報１０５とに基づいて、第１の識別情報１０１に含まれる管理ＩＤと、第２の位置情報１０５に含まれる位置情報とを不図示のディスプレイ等のユーザインタフェースに表示する。
【０１００】
これにより、例えば、棚卸管理者は、資産管理装置１１の管理ＩＤと位置情報とを確認することができる。また、係る棚卸管理者は、確認した情報に基づいて、効率よく資産を見つけ出すことができると共に、棚卸を行うことができる。
【０１０１】
尚、上述した実施形態では、説明の便宜上、一例として、携帯端末装置１４は、受信した第１の識別情報１０１と第２の位置情報１０５とに基づいて、管理ＩＤと位置情報とを棚卸管理者に提示する構成を例に説明した。
【０１０２】
しかしながら本発明に係る実施形態は、係る構成に限定されず、携帯端末装置１４は、第１の識別情報１０１と第２の位置情報１０５とを受信する電波強度を不図示のディスプレイ等のユーザインタフェースに表示する構成を採用してもよい。その場合に、棚卸管理者は、ディスプレイに表示された電波強度の強弱によって資産の方角や距離を推測し、見つけ出す方法を採用してもよい。
【０１０３】
次に、以下の説明において、説明の便宜上、一例として、本実施形態における資産管理装置１１の動作について説明する。
【０１０４】
図３は、本発明の第２の実施形態における資産管理装置１１が行う動作を示すフローチャートである。図３に示すフローチャートに沿って資産管理装置１１の動作手順を説明する。
【０１０５】
ここでは、以下の説明において、説明の便宜上、一例として、資産管理装置１１は、パソコン等の資産に備え付けられた構成とする。
【０１０６】
尚、説明の便宜上、上述した構成を例に説明するが、本実施形態を例に説明する本発明は、この構成にはこれに限定されない（以下の実施形態においても同様）。
【０１０７】
ステップＳ１：
発信部１５は、第１の識別情報１０１を発信すると共に、中継器１３から第２の位置情報１０５を受信する。また、発信部１５は、受信した第２の位置情報１０５を記憶部４に格納する。
【０１０８】
ステップＳ２：
発信部１５は、第１の識別情報１０１と第２の位置情報１０５とを第１の時間周期毎に発信する。
【０１０９】
ステップＳ３：
発信部１５は、中継器１３を介して統括サーバ１２から発信指示情報１０３を受信したか否かを判別する。
【０１１０】
ステップＳ４において「ＹＥＳ」：
発信部１５は、発信指示情報１０３を受信したか否かを判別した結果、発信指示情報１０３を受信したと判別した場合に、処理をステップＳ５に進める。
【０１１１】
ステップＳ４において「ＮＯ」：
発信部１５は、発信指示情報１０３を受信したか否かを判別した結果、発信指示情報１０３を受信していないと判別した場合に、処理をステップＳ６に進める。
【０１１２】
ステップＳ５：
発信部１５は、受信した発信指示情報１０３に応じて、第２の時間周期毎に第１の識別情報１０１と第２の位置情報１０５とを発信する。
【０１１３】
ステップＳ６：
通知部３は、中継器１３を介して統括サーバ１２から通知指示情報１０４を受信したか否かを判別する。
【０１１４】
ステップＳ７において「ＹＥＳ」：
通知部３は、通知指示情報１０４を受信したか否かを判別した結果、通知指示情報１０４を受信したと判別した場合に、処理をステップＳ８に進める。
【０１１５】
ステップＳ７において「ＮＯ」：
通知部３は、通知指示情報１０４を受信したか否かを判別した結果、通知指示情報１０４を受信していないと判別した場合に、処理を終了する。
【０１１６】
ステップＳ８：
通知部３は、受信した通知指示情報１０４に基づいて、音、または光を発する。
【０１１７】
次に、以下の説明において、説明の便宜上、一例として、本実施形態における統括サーバ１２の動作について説明する。
【０１１８】
図４Ａ及び図４Ｂは、本発明の第２の実施形態における統括サーバ１２が行う動作を示すフローチャートである。図４Ａ及び図４Ｂに示すフローチャートに沿って統括サーバ１２の動作手順を説明する。
【０１１９】
ステップＳ２１：
統括サーバ１２の管理情報制御部１６は、中継器１３から第１の識別情報１０１と第２の位置情報１０５とを受信する。
【０１２０】
ステップＳ２２：
管理情報制御部１６は、受信した第１の識別情報１０１と第２の位置情報１０５とを資産管理情報１７に格納する。
【０１２１】
より具体的に、管理情報制御部１６は、第１の識別情報１０１に含まれる管理ＩＤに基づいて、資産管理情報１７を検索する。管理情報制御部１６は、検索した結果、資産管理情報１７から係る管理ＩＤに関連付けられている位置情報を求める。
【０１２２】
管理情報制御部１６は、求めた位置情報と第２の位置情報１０５に含まれる位置情報とを比較する。
【０１２３】
管理情報制御部１６は、求めた位置情報と第２の位置情報１０５に含まれる位置情報とを比較した結果、それら２つの位置情報が異なると判別した場合に、求めた位置情報を所在位置の履歴として資産管理情報１７に格納する。また、管理情報制御部１６は、第２の位置情報１０５に含まれる位置情報を最新の位置情報として資産管理情報１７に格納する。
【０１２４】
ステップＳ２３：
管理情報制御部１６は、携帯端末装置１４から提示リクエスト情報１０６を受信したか否かを判別する。
【０１２５】
ステップＳ２４において「ＹＥＳ」：
管理情報制御部１６は、提示リクエスト情報１０６を受信したか否かを判別した結果、提示リクエスト情報１０６を受信したと判別した場合に、処理をステップＳ２５に進める。
【０１２６】
ステップＳ２４において「ＮＯ」：
管理情報制御部１６は、提示リクエスト情報１０６を受信したか否かを判別した結果、提示リクエスト情報１０６を受信していないと判別した場合に、処理をステップＳ２６に進める。
【０１２７】
ステップＳ２５：
管理情報制御部１６は、提示リクエスト情報１０６に含まれる管理ＩＤに基づいて、資産管理情報１７を参照する。
【０１２８】
さらに、管理情報制御部１６は、資産管理情報１７から係る管理ＩＤに関連付けられた資産情報を求めると共に、求めた資産情報を携帯端末装置１４に送信する。
【０１２９】
ステップＳ２６：
管理情報制御部１６は、携帯端末装置１４から発信リクエスト情報１０７を受信したか否かを判別する。
【０１３０】
ステップＳ２７において「ＹＥＳ」：
管理情報制御部１６は、発信リクエスト情報１０７を受信したか否かを判別した結果、発信リクエスト情報１０７を受信したと判別した場合に、処理をステップＳ２８に進める。
【０１３１】
ステップＳ２７において「ＮＯ」：
管理情報制御部１６は、発信リクエスト情報１０７を受信したか否かを判別した結果、発信リクエスト情報１０７を受信していないと判別した場合に、処理をステップＳ２９に進める。
【０１３２】
ステップＳ２８：
管理情報制御部１６は、発信リクエスト情報１０７に含まれる管理ＩＤに基づいて、その管理ＩＤに関連付けられた資産管理装置１１に発信指示情報１０３を送信する。
【０１３３】
ステップＳ２９：
管理情報制御部１６は、携帯端末装置１４から通知リクエスト情報１０８を受信したか否かを判別する。
【０１３４】
ステップＳ３０において「ＹＥＳ」：
管理情報制御部１６は、通知リクエスト情報１０８を受信したか否かを判別した結果、通知リクエスト情報１０８を受信したと判別した場合に、処理をステップＳ３１に進める。
【０１３５】
ステップＳ３０において「ＮＯ」：
管理情報制御部１６は、通知リクエスト情報１０８を受信したか否かを判別した結果、通知リクエスト情報１０８を受信していないと判別した場合に、処理をステップＳ３２に進める。
【０１３６】
ステップＳ３１：
管理情報制御部１６は、通知リクエスト情報１０８に含まれる管理ＩＤに基づいて、その管理ＩＤに関連付けられた資産管理装置１１に通知指示情報１０４を送信する。
【０１３７】
ステップＳ３２：
管理情報制御部１６は、携帯端末装置１４から終了通知情報を受信したか否かを判別する。
【０１３８】
ステップＳ３３において「ＹＥＳ」：
管理情報制御部１６は、終了通知情報を受信したか否かを判別した結果、終了通知情報を受信したと判別した場合に、処理をステップＳ３４に進める。
【０１３９】
ステップＳ３３において「ＮＯ」：
管理情報制御部１６は、終了通知情報を受信したか否かを判別した結果、終了通知情報を受信していないと判別した場合に、処理を終了する。
【０１４０】
ステップＳ３４：
管理情報制御部１６は、受信した終了通知情報に基づいて、管理ＩＤと、棚卸の実施履歴と、位置情報及び所在位置の履歴とを資産管理情報１７に格納する。
【０１４１】
より具体的に、管理情報制御部１６は、終了通知情報に含まれる管理ＩＤに基づいて、資産管理情報１７を検索する。管理情報制御部１６は、検索した結果、係る管理ＩＤに関連付けられている位置情報を求める。
【０１４２】
管理情報制御部１６は、求めた位置情報と終了通知情報に含まれる位置情報とを比較する。
【０１４３】
管理情報制御部１６は、求めた位置情報と終了通知情報に含まれる位置情報とを比較した結果、それら２つの位置情報が異なると判別した場合に、求めた位置情報を所在位置の履歴として資産管理情報１７に格納する。また、管理情報制御部１６は、終了通知情報に含まれる位置情報を最新の位置情報として資産管理情報１７に格納する。
【０１４４】
また、管理情報制御部１６は、終了通知情報に含まれる資産の現品確認が終了したことを示す情報に基づいて、実施履歴を資産管理情報１７に格納する。例えば、管理情報制御部１６は、終了通知情報を受信した日付と時刻とを実施履歴として資産管理情報１７に格納する構成を採用してもよい。
【０１４５】
次に、以下の説明において、説明の便宜上、一例として、本実施形態における中継器１３の動作について説明する。
【０１４６】
図５は、本発明の第２の実施形態における中継器１３が行う動作を示すフローチャートである。図５に示すフローチャートに沿って中継器１３の動作手順を説明する。
【０１４７】
ステップＳ４１：
中継器１３は、資産管理装置１１から第１の識別情報１０１を受信する。
【０１４８】
ステップＳ４２：
資産管理装置１１から第１の識別情報１０１を受信した際に、中継器１３は、資産管理装置１１に第２の位置情報１０５を送信する。
【０１４９】
ステップＳ４３：
中継器１３は、統括サーバ１２に第１の識別情報１０１と第２の位置情報１０５とを送信する。
【０１５０】
ステップＳ４４
中継器１３は、統括サーバ１２から発信指示情報１０３を受信したか否かを判別する。
【０１５１】
ステップＳ４５において「ＹＥＳ」：
中継器１３は、発信指示情報１０３を受信したか否かを判別した結果、発信指示情報１０３を受信したと判別した場合に、処理をステップＳ４６に進める。
【０１５２】
ステップＳ４５において「ＮＯ」：
中継器１３は、発信指示情報１０３を受信したか否かを判別した結果、発信指示情報１０３を受信していないと判別した場合に、処理をステップＳ４７に進める。
【０１５３】
ステップＳ４６：
中継器１３は、資産管理装置１１に発信指示情報１０３を送信する。
【０１５４】
ステップＳ４７
中継器１３は、統括サーバ１２から通知指示情報１０４を受信したか否かを判別する。
【０１５５】
ステップＳ４８において「ＹＥＳ」：
中継器１３は、通知指示情報１０４を受信したか否かを判別した結果、通知指示情報１０４を受信したと判別した場合に、処理をステップＳ４９に進める。
【０１５６】
ステップＳ４８において「ＮＯ」：
中継器１３は、通知指示情報１０４を受信したか否かを判別した結果、通知指示情報１０４を受信していないと判別した場合に、処理を終了する。
【０１５７】
ステップＳ４９：
中継器１３は、資産管理装置１１に通知指示情報１０４を送信する。
【０１５８】
次に、以下の説明において、説明の便宜上、一例として、本実施形態における携帯端末装置１４の動作について説明する。
【０１５９】
図６Ａ及び図６Ｂは、本発明の第２の実施形態における携帯端末装置１４が行う動作を示すフローチャートである。図６Ａ及び図６Ｂに示すフローチャートに沿って携帯端末装置１４の動作手順を説明する。
【０１６０】
ここでは、以下の説明において、説明の便宜上、一例として、棚卸をする際に、棚卸管理者が携帯端末装置１４を操作することとする。
【０１６１】
ステップＳ６１：
携帯端末装置１４は、例えば、不図示の入力デバイスが操作されるのを検出する。
【０１６２】
ここで、例えば、棚卸管理者は、携帯端末装置１４が備えるディスプレイ（不図示）の表示に基づいて、入力デバイス（不図示）を操作することとする。
【０１６３】
また、一例として、ディスプレイには、「資産情報を参照する」、「位置情報を通知する」、「光で通知する」、「音で通知する」、「棚卸を完了する」等のメニューが表示される構成を採用してもよい。
【０１６４】
その場合に、棚卸管理者は、携帯端末装置１４のディスプレイに表示されたメニューの中から所望の処理を選択する構成を採用してもよい。また、携帯端末装置１４は、棚卸管理者がメニューの中から所望の処理を選択した操作を検出する構成を採用してもよい。
【０１６５】
携帯端末装置１４は、「資産情報を参照する」が選択される操作を検出したか否かを判別する。
【０１６６】
ステップＳ６２において「ＹＥＳ」：
携帯端末装置１４は、「資産情報を参照する」が選択される操作を検出したか否かを判別した結果、「資産情報を参照する」が選択される操作を検出したと判別した場合に、処理をステップＳ６３に進める。
【０１６７】
ステップＳ６２において「ＮＯ」：
携帯端末装置１４は、「資産情報を参照する」が選択される操作を検出したか否かを判別した結果、「資産情報を参照する」が選択される操作を検出していないと判別した場合に、処理をステップＳ６４に進める。
【０１６８】
ステップＳ６３：
携帯端末装置１４は、統括サーバ１２に提示リクエスト情報１０６を送信する。
【０１６９】
ステップＳ６４：
携帯端末装置１４は、「位置情報を通知する」が選択される操作を検出したか否かを判別する。
【０１７０】
ステップＳ６５において「ＹＥＳ」：
携帯端末装置１４は、「位置情報を通知する」が選択される操作を検出したか否かを判別した結果、「位置情報を通知する」が選択される操作を検出したと判別した場合に、処理をステップＳ６６に進める。
【０１７１】
ステップＳ６５において「ＮＯ」：
携帯端末装置１４は、「位置情報を通知する」が選択される操作を検出したか否かを判別した結果、「位置情報を通知する」が選択される操作を検出していないと判別した場合に、処理をステップＳ６７に進める。
【０１７２】
ステップＳ６６：
携帯端末装置１４は、統括サーバ１２に発信リクエスト情報１０７を送信する。
【０１７３】
ステップＳ６７：
携帯端末装置１４は、「光で通知する」が選択される操作を検出したか否かを判別する。
【０１７４】
ステップＳ６８において「ＹＥＳ」：
携帯端末装置１４は、「光で通知する」が選択される操作を検出したか否かを判別した結果、「光で通知する」が選択される操作を検出したと判別した場合に、処理をステップＳ６９に進める。
【０１７５】
ステップＳ６８において「ＮＯ」：
携帯端末装置１４は、「光で通知する」が選択される操作を検出したか否かを判別した結果、「光で通知する」が選択される操作を検出していないと判別した場合に、処理をステップＳ７０に進める。
【０１７６】
ステップＳ６９：
携帯端末装置１４は、統括サーバ１２に通知リクエスト情報１０８を送信する。
【０１７７】
ステップＳ７０：
携帯端末装置１４は、「音で通知する」が選択される操作を検出したか否かを判別する。
【０１７８】
ステップＳ７１において「ＹＥＳ」：
携帯端末装置１４は、「音で通知する」が選択される操作を検出したか否かを判別した結果、「音で通知する」が選択される操作を検出したと判別した場合に、処理をステップＳ７２に進める。
【０１７９】
ステップＳ７１において「ＮＯ」：
携帯端末装置１４は、「音で通知する」が選択される操作を検出したか否かを判別した結果、「音で通知する」が選択される操作を検出していないと判別した場合に、処理をステップＳ７３に進める。
【０１８０】
ステップＳ７２：
携帯端末装置１４は、統括サーバ１２に通知リクエスト情報１０８を送信する。
【０１８１】
ステップＳ７３：
携帯端末装置１４は、「棚卸を完了する」が選択される操作を検出したか否かを判別する。
【０１８２】
ステップＳ７４において「ＹＥＳ」：
携帯端末装置１４は、「棚卸を完了する」が選択される操作を検出したか否かを判別した結果、「棚卸を完了する」が選択される操作を検出したと判別した場合に、処理をステップＳ７５に進める。
【０１８３】
ステップＳ７４において「ＮＯ」：
携帯端末装置１４は、「棚卸を完了する」が選択される操作を検出したか否かを判別した結果、「棚卸を完了する」が選択される操作を検出していないと判別した場合に、処理を終了する。
【０１８４】
ステップＳ７５：
携帯端末装置１４は、資産管理装置１１から第１の識別情報１０１と第２の位置情報１０５とを受信する。
【０１８５】
ステップＳ７６：
携帯端末装置１４は、第１の識別情報１０１と第２の位置情報１０５とに基づいて、終了通知情報を生成すると共に、生成した終了通知情報を統括サーバ１２に送信する。
【０１８６】
このように本実施の形態に資産管理システム１０によれば、上述した第１の実施形態において説明した効果を享受できると共に、さらに、資産管理装置１１を含む資産管理システム１０は、所在の不明な資産がある場合であっても、資産を効率よく管理することができる。その理由は、以下に述べる通りである。
【０１８７】
即ち、資産管理システム１０の統括サーバ１２は、受信した第１の識別情報１０１と第２の位置情報１０５とに基づいて、資産情報を蓄積する。また、携帯端末装置１４は、統括サーバ１２に蓄積された資産情報を、例えば、棚卸管理者に提示することができる。即ち、棚卸管理者は、統括サーバ１２に蓄積された資産情報を携帯端末装置１４から確認すると共に、確認した資産情報に基づいて、効率よく資産の棚卸及び資産を管理することができるからである。
【０１８８】
さらに、例えば、棚卸管理者が携帯端末装置１４を操作することによって、統括サーバ１２は、資産管理装置１１に発信指示情報１０３、または通知指示情報１０４を送信する。発信指示情報１０３を受信した際には、資産管理装置１１は、第１の識別情報１０１と第２の位置情報１０５と発信する。また、通知指示情報１０４を受信した際には、資産管理装置１１は、音、または光を発する。即ち、棚卸管理者は、効率よく資産管理装置１１の所在を確認することができるからである。
【０１８９】
例えば、資産名と、資産の形状や外観が一致しない場合であっても、棚卸管理者は、効率よく資産現品を確認することができる。その理由は、統括サーバ１２は、資産の外観情報を提示することができるからである。即ち、例えば、棚卸管理者は、携帯端末装置１４のディスプレイに表示された資産の外観情報に基づいて、効率よく資産現品を確認することができる。
【０１９０】
＜第３の実施形態＞
次に、上述した本発明の第２の実施形態に係る資産管理装置１１を基本とする第３の実施形態について説明する。以下の説明においては、本実施形態に係る特徴的な部分を中心に説明する。その際、上述した各実施形態と同様な構成については、同一の参照番号を付すことにより、重複する説明は省略する。
【０１９１】
図７は、本発明の第３の実施形態における資産管理装置１１を含む資産管理システム２０の構成を示すブロック図である。
【０１９２】
図７において、資産管理システム２０は、管理情報制御部２２の動作が第２の実施形態における管理情報制御部１６の動作と異なる。
【０１９３】
より具体的に、統括サーバ２１は、管理情報制御部２２を有する。管理情報制御部２２は、資産管理情報２３を有する。
【０１９４】
中継器１３から第１の識別情報１０１と第２の位置情報１０５とを受信した際に、管理情報制御部２２は、さらに、資産管理情報２３を参照する。
【０１９５】
管理情報制御部２２は、資産管理情報２３から第１の識別情報１０１に含まれる管理ＩＤに関連付けられた承認情報を求める。
【０１９６】
ここで、資産管理情報２３は、第２の実施形態における資産管理情報１７が含む情報に、さらに、承認情報を含む。
【０１９７】
図８は、本発明の第３の実施形態における資産管理情報２３の構成（フォーマット）を具体的に例示した図である。
【０１９８】
より具体的に、図８において１列目は、管理ＩＤを示す。また、２列目は、資産名を示す。３列目は、製造号機番号を示す。４列目は、位置情報（最新の位置情報）を示す。５列目は、資産の使用者情報を示す。６列目は、例えば、資産の画像データ（実体）を含む外観情報を示す。７列目は、棚卸の実施履歴を示す。８列目は、所在位置の履歴を示す。９列目は、承認情報を示す。
【０１９９】
承認情報とは、例えば、資産の移動を許可、または不許可を示す情報を含む。より具体的に、承認情報は、例えば、許可（許可する）を示す場合に「１」、不許可（許可しない）を示す場合に、「０」を資産管理情報２３の承認情報に格納する構成を採用してもよい。
【０２００】
資産管理情報２３から求めた承認情報が「１」（つまり、許可を示す）の場合に、管理情報制御部２２は、処理を終了する。
【０２０１】
一方で、資産管理情報２３から求めた承認情報が「０」（つまり、不許可を示す）の場合に、管理情報制御部２２は、資産管理装置１１に中継器１３を介して通知指示情報１０４を送信する。
【０２０２】
そのため、資産管理装置１１の通知部３は、管理情報制御部２２から通知指示情報１０４を受信すると共に、受信した通知指示情報１０４に基づいて、音、または光を発する。
【０２０３】
次に、以下の説明において、説明の便宜上、一例として、本実施形態における資産管理システム２０が行う、例えば、資産の移動を管理する際の動作について説明する。
【０２０４】
ここで、一例として、室内の入退場ゲート（不図示）に中継器１３を備えることとする。
【０２０５】
これにより、資産管理装置１１を備える資産を室外に持ち出す（入退場ゲートを通過する）際に、入退場ゲートに備えられた中継器１３は、資産管理装置１１から第１の識別情報１０１を受信する。
【０２０６】
中継器１３は、資産管理装置１１から第１の識別情報１０１を受信するのに応じて、第１の識別情報１０１と第２の位置情報１０５とを統括サーバ２１に送信する。
【０２０７】
中継器１３から第１の識別情報１０１と第２の位置情報１０５とを受信するのに応じて、統括サーバ２１の管理情報制御部２２は、資産管理情報２３を参照する。
【０２０８】
さらに、管理情報制御部２２は、資産管理情報２３から第１の識別情報１０１に含まれる管理ＩＤに関連付けられた承認情報を求める。
【０２０９】
例えば、資産管理情報２３から求めた承認情報が「０」（つまり、不許可を示す）の場合に、管理情報制御部２２は、資産管理装置１１に通知指示情報１０４を送信する。
【０２１０】
管理情報制御部２２から通知指示情報１０４を受信するのに応じて、資産管理装置１１の通知部３は、受信した通知指示情報１０４に基づいて、音、または光を発する。
【０２１１】
尚、上述した実施形態では、説明の便宜上、一例として、管理情報制御部２２は、資産管理情報２３から求めた承認情報が不許可を示す場合に、資産管理装置１１に通知指示情報１０４を送信する構成を例に説明した。
【０２１２】
しかしながら本発明に係る実施形態は、係る構成に限定されず、管理情報制御部２２は、資産管理情報２３から求めた承認情報が不許可を示す場合に、例えば、入退場ゲートの施錠機構を施錠するように制御してもよいし、入退場ゲートを開閉しないように制御するようにしてもよい。
【０２１３】
尚、上述した本実施形態では、説明の便宜上、一例として、承認情報は、資産の移動を許可、または不許可を示す情報を含む構成を例に説明した。しかしながら本発明に係る実施形態は、係る構成に限定されず、承認情報は、施錠機構の施錠の解除を許可、または不許可を示す情報を含む構成を採用してもよい。
【０２１４】
このように本実施の形態に係る資産管理システム２０によれば、上述した第１及び第２の実施形態において説明した効果を享受できると共に、さらに、資産管理システム２０は、不正な（つまり、許可されていない）資産の移動を抑制することができる。また、資産管理システム２０は、資産を移動する場合であっても、効率よく資産を管理できる。
【０２１５】
その理由は、統括サーバ２１の管理情報制御部２２は、第１の識別情報１０１と第２の位置情報１０５とを受信した際に、資産管理情報２３から第１の識別情報１０１に含まれる管理ＩＤに関連付けられた承認情報を求める。さらに、求めた承認情報が「不許可」を示す場合に、管理情報制御部２２は、資産管理装置１１に通知指示情報１０４を送信する。通知指示情報１０４を受信した資産管理装置１１は、通知指示情報１０４に基づいて、音、または光を発することができるからである。即ち、資産管理装置１１の通知部３は、警告音や警告灯の役割を果たすからである。
【０２１６】
また、資産を移動する際に、統括サーバ２１の管理情報制御部２２は、資産の移動に対する承認情報を資産管理情報２３に蓄積することができる。即ち、棚卸管理者は、資産管理情報２３に蓄積された情報に基づいて、資産が盗難にあったのか、使用者によって移動されたのかが容易に判別することができる。
【０２１７】
＜第４の実施形態＞
次に、上述した本発明の第３の実施形態に係る資産管理装置１１を基本とする第４の実施形態について説明する。以下の説明においては、本実施形態に係る特徴的な部分を中心に説明する。その際、上述した各実施形態と同様な構成については、同一の参照番号を付すことにより、重複する説明は省略する。
【０２１８】
図９は、本発明の第４の実施形態における資産管理装置３１を含む資産管理システム３０の構成を示すブロック図である。
【０２１９】
図９において、資産管理装置３１は、さらに、施錠制御部３２を有する点が第３の実施形態における資産管理装置１１と異なる。
【０２２０】
施錠制御部３２は、携帯端末装置１４から解除リクエスト情報１１０を受信する。さらに、施錠制御部３２は、中継器１３を介して統括サーバ２１に受信した解除リクエスト情報１１０を送信する。
【０２２１】
施錠制御部３２は、解除リクエスト情報１１０のリプライとして中継器１３を介して統括サーバ２１から解除指示情報１０９を受信する。
【０２２２】
さらに、施錠制御部３２は、受信した解除指示情報１０９に基づいて、資産管理装置３１が（自装置）が備える不図示の施錠機構の施錠を解除する。
【０２２３】
ここで、施錠機構は、例えば、一般的に知られたセキュリティーワイヤーや電子錠、シリンダー錠等である。
【０２２４】
また、解除指示情報１０９は、管理ＩＤと、その管理ＩＤに関連付けられた資産管理装置３１の施錠制御部３２に施錠機構の施錠を解除するように指示する情報とを含む。
【０２２５】
解除リクエスト情報１１０は、管理ＩＤと、その管理ＩＤに関連付けられた資産管理装置３１が備える施錠機構の施錠を解除するように要求する情報とを含む。
【０２２６】
次に、以下の説明において、説明の便宜上、一例として、本実施形態における資産管理装置３１が行う、例えば、携帯端末装置１４から解除リクエスト情報１１０を受信した際の動作について説明する。
【０２２７】
より具体的に、例えば、メニューから「ロックを解除する」が選択される操作を検出した場合に、携帯端末装置１４は、解除リクエスト情報１１０を係る管理ＩＤと関連付けられた資産管理装置３１に送信する。
【０２２８】
ここで、解除リクエスト情報１１０に含まれる管理ＩＤは、例えば、棚卸管理者によって携帯端末装置１４が有する入力デバイス（不図示）から施錠機構の施錠を解除したい資産管理装置３１の管理ＩＤを入力してもよい。
【０２２９】
または、棚卸管理者によって携帯端末装置１４が有するディスプレイ（不図示）に表示された資産情報から施錠機構の施錠を解除したい資産管理装置３１を選択すると共に、選択された資産管理装置３１に関連付けられた管理ＩＤを携帯端末装置１４が取得するようにしてもよい。
【０２３０】
資産管理装置３１の施錠制御部３２は、携帯端末装置１４から解除リクエスト情報１１０を受信すると共に、中継器１３を介して統括サーバ２１に受信した解除リクエスト情報１１０を送信する。
【０２３１】
統括サーバ２１の管理情報制御部２２は、中継器１３を介して資産管理装置３１から解除リクエスト情報１１０を受信する。
【０２３２】
さらに、管理情報制御部２２は、資産管理情報２３を参照すると共に、資産管理情報２３から解除リクエスト情報１１０に含まれる管理ＩＤに関連付けられた承認情報を求める。
【０２３３】
管理情報制御部２２は、資産管理情報２３から求めた承認情報が「１」（許可を示す）の場合に、中継器１３を介して資産管理装置３１に解除指示情報１０９を送信する。
【０２３４】
施錠制御部３２は、中継器１３を介して統括サーバ２１から解除指示情報１０９を受信する。さらに、施錠制御部３２は、受信した解除指示情報１０９に基づいて、不図示の施錠機構の施錠を解除する。
【０２３５】
一方で、管理情報制御部２２は、資産管理情報２３から求めた承認情報が「０」（不許可を示す）の場合に、資産管理装置３１の通知部３に通知指示情報１０４を送信する。
【０２３６】
資産管理装置３１の通知部３は、中継器１３を介して統括サーバ２１から通知指示情報１０４を受信する。さらに、通知部３は、受信した通知指示情報１０４に基づいて、音、または光を発する。
【０２３７】
即ち、資産管理装置３１は、資産の移動が許可されていない場合に、資産管理装置３１を備える資産の持ち出しを防止することができる。
【０２３８】
このように本実施の形態に係る資産管理装置３１によれば、上述した各実施形態において説明した効果を享受できると共に、さらに、資産管理装置３１は、施錠機構の施錠状態を制御することによって、不正な（つまり、許可されていない）資産の移動を抑制することができる。
【０２３９】
その理由は、資産管理装置３１の施錠制御部３２は、統括サーバ２１から解除指示情報１０９を受信する。さらに、施錠制御部３２は、受信した解除指示情報１０９に基づいて、施錠機構の施錠を解除することができるからである。
【０２４０】
＜第５の実施形態＞
次に、上述した本発明の第４の実施形態に係る資産管理装置３１を基本とする第５の実施形態について説明する。以下の説明においては、本実施形態に係る特徴的な部分を中心に説明する。その際、上述した各実施形態と同様な構成については、同一の参照番号を付すことにより、重複する説明は省略する。
【０２４１】
図１０は、本発明の第５の実施形態における資産管理装置４１を含む資産管理システム４０の構成を示すブロック図である。
【０２４２】
図１０において、資産管理装置４１は、さらに、電源管理部４２を有する点が第４の実施形態における資産管理装置３１と異なる。
【０２４３】
電源管理部４２は、不図示の二次電池の残量（つまり、使用可能な電力）を監視すると共に、二次電池の残量が所定の閾値以下の場合に、二次電池の残量情報（残量情報１１１）を統括サーバ１２に送信する。
【０２４４】
より具体的に、電源管理部４２は、所定の時間周期毎に二次電池（不図示）から電池残量を取得する。
【０２４５】
尚、電源管理部４２が二次電池から電池残量を取得する技術自体は、現在では一般的な技術を採用することができるので、本実施形態における詳細な説明は省略する（以下、各実施形態においても同様）。
【０２４６】
さらに、電源管理部４２は、取得した電池残量と所定の閾値とを比較する。電源管理部４２は、電池残量と所定の閾値とを比較した結果、電池残量が閾値以下の場合に、資産管理装置４１の管理ＩＤと、電池残量が閾値以下であることを示す情報とを含む残量情報１１１を統括サーバ２１に送信する。
【０２４７】
即ち、電源管理部４２は、資産管理装置４１の管理ＩＤと、電池残量が閾値以下であることを通知することができる。
【０２４８】
統括サーバ２１の管理情報制御部２２は、電源管理部４２から残量情報１１１を受信すると共に、受信した残量情報１１１に基づいて、資産管理情報２３に電池残量情報を格納する。さらに、管理情報制御部２２は、例えば、棚卸管理者に通知する。
【０２４９】
尚、資産管理装置４１は、資産管理装置４１を備える資産が稼動している場合には、例えば、資産が有するＵＳＢ（Ｕｎｉｖｅｒｓａｌ＿Ｓｅｒｉａｌ＿Ｂｕｓ：以降、「ＵＳＢ」と称する）ポートから電源を供給されるように構成してもよいし、一般的に知られたＡＣ（Ａｌｔｅｒｎａｔｉｎｇ  Ｃｕｒｒｅｎｔ）アダプタから電源を供給されるように構成してもよい。
【０２５０】
このように本実施の形態に係る資産管理装置４１によれば、上述した各実施形態において説明した効果を享受できると共に、さらに、資産管理装置４１は、資産管理装置４１を備える資産から電源が供給されない場合であっても、資産を効率よく管理することができる。
【０２５１】
その理由は、資産管理装置４１は、二次電池によって動作することができるからである。また、資産管理装置４１の電源管理部４２は、二次電池の残量が所定の閾値以下の場合に、二次電池の残量情報（残量情報１１１）を統括サーバ１２に送信する。さらに、統括サーバ２１は、残量情報１１１を受信すると共に、受信した残量情報１１１に基づいて、棚卸管理者に二次電池の残量を通知することができるからである。即ち、使用されていない資産であっても、棚卸管理者は、その資産の位置を特定することができると共に、棚卸を実施することができる。
【０２５２】
尚、上述した各実施形態およびその実施例の一部又は全部は、以下の付記のようにも記載されうる。しかしながら、上述した実施形態及びその実施例により例示的に説明した本発明は、以下には限らない。即ち、
（付記１）
自装置を識別可能な管理ＩＤを含む第１の識別情報と該自装置の位置情報を含む第１の位置情報とを第１の時間周期毎に発信し、前記第１の識別情報と前記第１の位置情報とを発信するように指示する発信指示情報を受信した場合には、前記第１の識別情報と前記第１の位置情報とを前記第１の時間周期と異なる第２の時間周期毎に発信する発信部と、
通知を指示する通知指示情報を受信するのに応じて、人が判別可能な態様で通知する通知部と、
を備えることを特徴とする資産管理装置。
（付記２）
前記発信部は、
前記第１の識別情報を発信した際に、前記第１の位置情報と異なる第２の位置情報を受信すると共に、前記第１の時間周期毎に前記第１の識別情報と該第２の位置情報とを発信することを特徴とする付記１に記載の資産管理装置。
（付記３）
施錠機構の施錠を解除するように要求する解除リクエスト情報を受信すると共に、受信した前記解除リクエスト情報を統括サーバに送信し、前記解除リクエスト情報のリプライとして前記施錠機構の施錠を解除するように指示する解除指示情報を受信した場合には、前記施錠機構の施錠を解除する施錠制御部を、さらに、含むことを特徴とする付記１または付記２に記載の資産管理装置。
（付記４）
所定の時間周期毎に二次電池から電池残量を取得すると共に、取得した前記電池残量と閾値とを比較し、前記電池残量と前記閾値とを比較した結果、前記電池残量が前記閾値以下の場合に、前記管理ＩＤと前記電池残量が前記閾値以下であることを通知する電源管理部を、さらに、含むことを特徴とする付記１乃至付記３の何れかに記載の資産管理装置。
（付記５）
資産の情報を管理可能な前記統括サーバ、付記１乃至付記４の何れかに記載の資産管理装置、前記統括サーバと前記資産管理装置と通信可能な中継器、及び携帯端末装置、を含む資産管理システムであって、
前記中継器は、
自装置を識別可能な管理ＩＤを含む第１の識別情報を受信した際に、該中継器の位置情報を含む前記第２の位置情報を前記資産管理装置に送信し、前記第１の識別情報と前記第２の位置情報とを前記統括サーバに送信し、
前記携帯端末装置は、
操作されるのに応じて、前記管理ＩＤを含むリクエスト情報、または前記管理ＩＤと前記資産の確認が終了したことを示す情報とを含む終了通知情報を前記統括サーバに送信し、前記統括サーバから前記管理ＩＤと関連付けられた資産情報を受信した場合には、その資産情報を提示し、
前記統括サーバは、
前記第１の識別情報と前記第２の位置情報とを受信すると共に、受信した前記第１の識別情報と前記第２の位置情報とを資産管理情報に格納し、
前記リクエスト情報を受信した場合に、前記リクエスト情報の種別を判別した結果に応じて、前記資産管理装置には、前記第１の識別情報と前記第２の位置情報とを発信するように指示する発信指示情報と、通知を指示する通知指示情報と、施錠機構の施錠を解除するように指示する解除指示情報とを送信し、前記携帯端末装置には、前記管資産情報を送信し、
前記終了通知情報を受信した場合に、前記終了通知情報に基づいて、前記資産管理情報に前記資産の確認履歴を格納する管理情報制御部と、
を備える資産管理システム。
（付記６）
前記携帯端末装置は、
前記発信部に前記第１の識別情報と前記第２の位置情報とを第２の時間周期毎に発信するように要求する場合には、前記管理ＩＤを含む発信リクエスト情報を送信し、
前記通知部に通知するように要求する場合には、前記管理ＩＤを含む通知リクエスト情報を送信し、
前記資産情報を前記統括サーバに提示するように要求する場合には、前記管理ＩＤを含む提示リクエスト情報を送信し、
前記施錠制御部に前記施錠機構の施錠を解除するように要求する場合には、前記管理ＩＤを含む提示リクエスト情報を送信することを特徴とする付記５に記載の資産管理システム。
（付記７）
前記管理情報制御部は、
前記発信リクエスト情報を受信した場合には、前記管理ＩＤに関連付けられた前記資産管理装置に前記発信指示情報を送信し、
前記通知リクエスト情報を受信した場合には、記管理ＩＤに関連付けられた前記資産管理装置に前記通知指示情報を送信し、
前記提示リクエスト情報を受信した場合には、前記資産管理情報から前記管理ＩＤに関連付けられた前記資産情報を求めると共に、その求めた資産情報を前記携帯端末装置に送信することを特徴とする付記５または付記６に記載の資産管理システム。
（付記８）
前記統括サーバは、
さらに、前記第１の識別情報と前記第２の位置情報とを受信した際に、前記資産管理情報から前記第１の識別情報に含まれる前記管理ＩＤに関連付けられた承認情報を求めると共に、求めた前記承認情報が不許可を示す場合に、前記資産管理装置に前記通知指示情報を送信することを特徴とする付記５乃至付記７の何れかに記載の資産管理システム。
（付記９）
前記資産管理情報は、
前記資産の名称と、前記資産の製造号機番号と、その外観情報と、使用者情報と、前記管理ＩＤと、位置情報と、棚卸の実施履歴及び所在位置の履歴とが関連付けられた情報を含むことを特徴とする付記５乃至付記８の何れかに記載の資産管理システム。
（付記１０）
資産管理装置が、
自装置を識別可能な管理ＩＤを含む第１の識別情報と該自装置の位置情報を含む第１の位置情報とを第１の時間周期毎に発信し、前記第１の識別情報と前記第１の位置情報とを発信するように指示する発信指示情報を受信した場合には、前記第１の識別情報と前記第１の位置情報とを前記第１の時間周期と異なる第２の時間周期毎に発信し、
通知を指示する通知指示情報を受信するのに応じて、人が判別可能な態様で通知することを特徴とする資産管理方法。
（付記１１）
前記資産管理装置が、
前記第１の識別情報を発信した際に、前記第１の位置情報と異なる第２の位置情報を受信すると共に、前記第１の時間周期毎に前記第１の識別情報と該第２の位置情報とを発信することを特徴とする付記１０に記載の資産管理方法。
（付記１２）
中継器が、
自装置を識別可能な管理ＩＤを含む第１の識別情報を受信した際に、該中継器の位置情報を含む前記第２の位置情報を前記資産管理装置に送信し、前記第１の識別情報と前記第２の位置情報とを前記統括サーバに送信し、
携帯端末装置が、
操作されるのに応じて、前記管理ＩＤを含むリクエスト情報、または前記管理ＩＤと前記資産の確認が終了したことを示す情報とを含む終了通知情報を前記統括サーバに送信し、前記統括サーバから前記管理ＩＤと関連付けられた資産情報を受信した場合には、その資産情報を提示し、
統括サーバが、
前記第１の識別情報と前記第２の位置情報とを受信すると共に、受信した前記第１の識別情報と前記第２の位置情報とを資産管理情報に格納し、
前記リクエスト情報を受信した場合に、前記リクエスト情報の種別を判別した結果に応じて、前記資産管理装置には、前記第１の識別情報と前記第２の位置情報とを発信するように指示する発信指示情報と、通知を指示する通知指示情報と、施錠機構の施錠を解除するように指示する解除指示情報とを送信し、前記携帯端末装置には、前記管資産情報を送信し、
前記終了通知情報を受信した場合に、前記終了通知情報に基づいて、前記資産管理情報に前記資産の確認履歴を格納することを特徴とする付記１０または付記１１に記載の資産管理方法。
【符号の説明】
【０２５３】
１    資産管理装置
２    発信部
３    通知部
４    記憶部
１０    資産管理システム
１１    資産管理装置
１２    統括サーバ
１３    中継器
１４    携帯端末装置
１５    発信部
１６    管理情報制御部
１７    資産管理情報
２０    資産管理システム
２１    管理情報制御部
２２    資産管理情報
３０    資産管理システム
３１    資産管理装置
３２    施錠制御部
４０    資産管理システム
４１    資産管理装置
４２    電源管理部
１０１    第１の識別情報
１０２    第１の位置情報
１０３    発信指示情報
１０４    通知指示情報
１０５    第２の位置情報
１０６    提示リクエスト情報
１０７    発信リクエスト情報
１０８    通知リクエスト情報
１０９    解除指示情報
１１０    解除リクエスト情報
１１１    残量情報
【図１】
2014164569.tif 000003
【図２】
2014164569.tif 000004
【図３】
2014164569.tif 000005
【図４Ａ】
2014164569.tif 000006
【図４Ｂ】
2014164569.tif 000007
【図５】
2014164569.tif 000008
【図６Ａ】
2014164569.tif 000009
【図６Ｂ】
2014164569.tif 000010
【図７】
2014164569.tif 000011
【図８】
2014164569.tif 000012
【図９】
2014164569.tif 000013
【図１０】
2014164569.tif 000014